(57)【要約】      （修正有）【課題】着脱が容易でフィット感及び安心感を向上させる。尿漏れを防止する。男性器の大便による汚れを防止し、蒸れ、汗疹、かぶれ等を軽減する。取替えも容易で衣類や寝具を汚すのを防止する。本人は勿論介護者も楽に対応させる男性用尿パッドを提供する。【解決手段】男性用尿パッド１１は通水性を有する表面シート１２と、非通水性を有する裏面シート１４と、表面シート１２と裏面シート１４との間に挿入された吸水部材からなる吸収シート１３とを備える。表面シート１２及び裏面シート１４は平面略楕円形に形成され、シートの外周縁が接合されて男性器の挿入口１６が形成され、挿入口１６にギャザー１７加工が施され、挿入口１６の大きさが弾性部材１８、テープ又は紐等の調節部材１９により調節され、全体形状が平面略楕円形に形成されている。【選択図】図３
0003146049.tif 000002
【実用新案登録請求の範囲】
【請求項１】
男性器と当接する側である通水性を有する表面シートと、非通水性を有する裏面シートと、前記表面シートと裏面シートとの間に挿入された吸水部材からなる吸収シートとを備える男性用尿パッドにおいて、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドの裏面シート側に下着に貼り付けるための粘着テープが接合されていることを特徴とする男性用尿パッド。
【請求項２】
男性器と当接する側である通水性を有する表面シートと、非通水性を有する裏面シートと、前記表面シートと裏面シートとの間に挿入された吸水部材からなる吸収シートとを備える男性用尿パッドの取付構造において、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドはパンツまたは褌に形成されたポケットに収納されるように形成されていることを特徴とする男性用尿パッドの取付構造。
【請求項３】
男性器と当接する側である通水性を有する表面シートと、非通水性を有する裏面シートと、前記表面シートと裏面シートとの間に挿入された吸水部材からなる吸収シートとを備える男性用尿パッドの取付構造において、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドはパンツまたは褌に形成されたポケットに収納されるように形成され、該ポケットが粘着テープによりパンツまたは褌に着脱自在に取付けられ、またはポケットが縫着により固着されていることを特徴とする男性用尿パッドの取付構造。
【考案の詳細な説明】
【技術分野】
【０００１】
本考案は男性器と当接する側である通水性を有する表面シートと、非通気性を有する裏面シートと、前記表面シートと裏面シートとの間に挿入された吸水部材からなる吸収シートとを備える男性用尿パッド及び男性用尿パッドの取付構造に関する。
【背景技術】
【０００２】
従来より、男性用の尿パッドが種々提案されている。大人用の紙おむつは、形状的には小児用紙おむつの拡大版であり、大・小便の排泄に対応するという利点はあるものの、その着脱には非常に手間がかかる。大・小便の排泄に対応して複数回おむつの取替えが必要になる。
【０００３】
介護者にとって意外に厄介なものは、痴呆症で歩行などに支障のない男性のおむつの取替えである。この負担を軽減し、寝ている状態は勿論、立っている時、椅子等に座っている状態でも、すばやく尿を吸収し、尿を漏らさず容易に着脱  できる男性用の尿パッドが要望されている。
【０００４】
この男性用の尿パッドは、高齢で尿漏れの不安を抱える人、頻尿の人、下半身が不自由な車椅子生活者の方の社会参加、自立支援を促進する側面もあり、資源の節約と同時に社会的な意義もある。更に健常者であっても万一の備え、例えば高速道路の渋滞などの際、ドライバーやタクシーの緊急時の備えとしても必要である。また議会の会議中や、発表会等の会合で席を立つことができない場合にも必要である。
【０００５】
従来の男性用の紙おむつ等においては、おむつカバーの上に長方形の紙おむつを置き、これを複雑に折畳み、おむつカバーで固定している。また紙おむつ等を折り返して用い、更に複数の止着部や留め部を形成して尿漏れを防止している。また排尿袋をペニス（陰茎）に取付ける場合には、ペニスから排尿袋が脱落したり、ペニスが必要以上に押さえつけられたり、引っ張られたりし、装着感を悪化させる虞れを有していた。
【０００６】
従来の男性用の尿パッドは男性器を被包して用いるもので、自由端及び固定端を有する立体フラップが尿パッドの上端縁に沿って形成され、前記立体フラップにスリットまたは破断によりスリットを形成し得るミシン目が形成された男性用の尿パッドが提案されている（例えば、特許文献１参照。）。また内部に陰茎を挿入できるように、吸水マットを円筒状に形成し、円筒の正面側周面に粘着部を設けた男性専用の尿とりおむつも知られている（例えば、特許文献２参照。）。
【０００７】
【特許文献１】特開２００７−６８６４３号公報
【特許文献２】特開２００１−２９９７９７号公報
【考案の開示】
【考案が解決しようとする課題】
【０００８】
然し乍ら、従来の特許文献１に記載の男性用尿パッドは、排泄物と着用者の肌との接触面積を少なくし、排泄物に起因するスキントラブルを減少させることができるが、尿パッドが男性器からずれたり、外れたりし易く、尿もれの虞れを有し、全体形状が大型でかさばる欠点を有し、更に男性器が不必要に押さえ付けられたり、引っ張られ、老齢者の男性器は裂傷を起こし易いものであった。一方介護者も体重の重い老齢者の介護では一日に何度もの着脱操作で労力の負担が著しく増大するものであった。
【０００９】
また、特許文献２に記載の男性用尿パッドは、表面が透水性のプラスチック製不織布で形成され、裏面が不透水性のプラスチックシートで形成された円筒状の男性専用おむつであり、陰茎と陰襄（睾丸）とを分離させることを目的とし、陰襄（睾丸）がおむつに入らないようにしているも、おむつカバーと、おむつが必要であり、陰茎の離脱により、尿もれを起こすことが避けられず、頻繁におむつの交換が必要であり、更に大便が男性器に付着し、汚す虞れを有していた。
【００１０】
本考案の目的は、キャップ型でコンパクト、着脱が容易でフィット感及び安心感を向上させることができ、尿漏れを防止することができ、男性器のみの部分装着であるので、大便が男性器に付着するのを防止することができ、蒸れ、汗疹、かぶれ等を軽減することができ、取替えも容易で衣類や寝具を汚す虞れを減少させることができ、本人は勿論介護者も楽に対応することができる経済性に優れた男性用尿パッド及び男性用尿パッドの取付構造を提供するものである。
【課題を解決するための手段】
【００１１】
本考案は上述せる課題に鑑みてなされたもので、本考案の請求項１に記載の男性用尿パッドは、男性器と当接する側である通水性を有する表面シートと、非通水性を有する裏面シートと、前記表面シートと裏面シートとの間に挿入された吸水部材からなる吸収シートとを備える男性用尿パッドにおいて、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドの裏面シート側に下着に貼り付けるための粘着テープが接合されていることを特徴とする。
【００１２】
また、本考案の請求項２に記載の男性用尿パッドの取付構造は、男性器と当接する側である通水性を有する表面シートと、非通水性を有する裏面シートと、前記表面シートと裏面シートとの間に挿入された吸水部材からなる吸収シートとを備える男性用尿パッドの取付構造において、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドはパンツまたは褌に形成されたポケットに収納されるように形成されていることを特徴とする。
【００１３】
また、本考案の請求項３に記載の男性用尿パッドの取付構造は、男性器と当接する側である通水性を有する表面シートと、非通水性を有する裏面シートと、前記表面シートと裏面シートとの間に挿入された吸水部材からなる吸収シートとを備える男性用尿パッドの取付構造において、
前記男性用尿パッドは表面シート及び裏面シートは平面略楕円形に形成され、略楕円形の表面シート及び裏面シートを積層した状態で外周縁が接合され、且つ外周縁に男性器の挿入口が形成され、該挿入口にギャザー加工が施され、更に挿入口の大きさが弾性部材、テープ又は紐等により調節可能に形成されて全体形状が平面略楕円形に形成され、前記挿入口より男性器の陰茎及び睾丸が挿入されるようになされ、該男性器の陰茎及び睾丸の一体の挿入状態で前記挿入口を締結し得るようになされ、前記男性用尿パッドはパンツまたは褌に形成されたポケットに収納されるように形成され、該ポケットが粘着テープによりパンツまたは褌に着脱自在に取付けられ、またはポケットが縫着により固着されていることを特徴とする。
【考案の効果】
【００１４】
本考案の請求項１に記載の男性用尿パッドによれば、粘着テープをパンツ等の下着に簡易迅速に所望とする状態に貼り付けることができ、着脱が容易でフィット感及び安心感を向上させることができ、尿漏れや大便が男性器に付着するのを防止することができ、蒸れ、汗疹、かぶれ等を軽減することができ、取替えも容易で衣類や寝具を汚す虞れを減少させることができ、本人は勿論介護者も楽に対応することができる。
【００１５】
本考案の請求項２に記載の男性用尿パッドの取付構造によれば、男性用尿パッドはパンツまたは褌に形成されたポケットに収納されるように形成されているので、男性器の陰茎及び睾丸が不必要に引っ張られるのを防止し、男性用尿パッドの脱落や、歩行によるずれを防止することができ、大便が男性器に付着するのを防止することができる。
【００１６】
本考案の請求項３に記載の男性用尿パッドの取付構造によれば、男性用尿パッドはパンツまたは褌に形成されたポケットに収納されるように形成され、該ポケットが粘着テープによりパンツまたは褌に着脱自在に取付けられ、またはポケットが縫着により固着されているので、男性器の陰茎及び睾丸が不必要に引っ張られるのを防止し、男性用尿パッドの脱落や、歩行によるずれを防止することができ、大便が男性器に付着するのを防止することができると共に、ポケットの着脱が容易でポケットだけ、またはパンツまたは褌とポケットとを同時に交換することができる。
【考案を実施するための最良の形態】
【００１７】
以下本考案に係る男性用尿パッド及び男性用尿パッドの取付構造を図面を参照して詳述する。
【００１８】
図１乃至図４には本考案に係る男性用尿パッドの実施の形態が夫々示されており、図１は男性用尿パッドの使用状態の側面説明図、図２は男性用尿パッドの断面説明図、図３は男性用尿パッドの正面図、図４は男性用尿パッドの裏面図である。
【００１９】
図１及び図２に示す如く、本考案に係る男性用尿パッド１１は男性器２１と当接する側である通水性を有する表面シート１２と、非通水性を有する裏面シート１４と、前記表面シート１２と裏面シート１４との間に挿入された吸水部材からなる吸収シート１３とを備えている。前記表面シート１２は通気性を有するかぶれにくい合成繊維の不織布、織布が好ましく、合成繊維としてはポリプロピレン、ポリエチレン、ナイロン等が用いられる。
【００２０】
また裏面シート１４としては、尿の透過を防ぐことのできる液不透過性のポリエチレンフィルムがよいが、湿気やガスを透過させることのできる撥水性シートを用いるものであってもよい。前記表面シート１２と裏面シート１４は平面略楕円形に形成され、略楕円形の表面シート１２及び裏面シート１４の間に吸水部材としての例えば吸水性ポリマーからなる吸収シート１３が挿入されている。吸収シート１３は高吸水性ポリマー、綿状パルプ等の吸収性に優れ、防臭・抗菌効果のある素材を使用する。高吸水性ポリマーとしては、合成樹脂系、デンプン系等の高吸水性ポリマーが存在する。尚、吸水部材としては浸透圧を利用し、水分のみを吸収する浸透圧シート等を用いることができる。
【００２１】
この吸収シート１３は表面シート１２と裏面シート１４の平面からみた外形形状より小さく形成され、且つ厚みが１０ｍｍ〜２０ｍｍに形成されている。この吸収シート１３は平面から見て長方形状であっても略楕円形状であってもよい。尚、吸収シート１３は部分的に厚さを変えたものであってもよい。前記表面シート１２と裏面シート１４の間に吸水性ポリマーからなる吸収シート１３を挿入した状態で表面シート１２と裏面シート１４の外周縁が接合され、且つ外周縁に男性器２１の挿入口１６が形成されている。
【００２２】
前記挿入口１６に沿ってギャザー１７加工が施され、このギャザー１７に沿ってゴム紐等の弾性部材１８、及びテープ又は紐等の挿入口調節部材１９が設けられている。男性用尿パッド１１はキャップ型に形成され、男性器２１の陰茎２２及び睾丸２３の全体を包み込めるように形成されている。
【００２３】
前記調節部材１９の作動長さをストッパーリング２０を調節部材１９の長手方向に移動させることにより調節することができ、挿入口１６の大きさが調節される。図２に示す如く、男性用尿パッド１１の全体形状が平面略楕円形に形成され、図１及び図２に示す如く、前記挿入口１６より男性器２１の陰茎２２及び睾丸２３が挿入されるようになされている。尚、男性用尿パッド１１の大きさは適宜設定することができるが、使用状態に応じて大・中・小の大きさのものを用意しておくのが好ましい。
【００２４】
前記挿入口１６より男性器２１の陰茎２２及び睾丸２３を挿入した状態で、ゴム紐等の弾性部材１８により男性器２１全体が締めつけられ、テープ又は紐等の挿入口調節部材１９を、図３に示す如く、ストッパーリング２０により更に締めつけることにより、男性用尿パッド１１が簡易迅速に所望とする状態に確実に取付けられる。またストッパーリング２０に代えて粘着テープや紐等により締めつけることもできる。
【００２５】
尚、裏面シート１４が使用者の腹部や脚部の上部に当接した場合に、感触が悪くなる虞れを有するので、必要に応じて裏面シート１４に表面シート１２と同様の感触のよい素材からなるカバーシートを接合してもよい。
【００２６】
図４に示す如く、裏面シート１４側の外側には粘着テープ２５が取付けられ、この粘着テープ２５は、例えば両面テープから形成され、表面のシール２６を剥がすと粘着面が露出し、下着に張り付けることができ、男性用尿パッド１１がずれるのを防止することができる。下着を交換する際には粘着テープ２５を再使用することができる。
【００２７】
図５乃至図７には、本考案に係わる男性用尿パッドの取付構造が夫々示されており、図５及び図６に示す実施の形態では、男性用尿パッド１１はパンツ３１に形成されたポケット３２に収納されるように形成されている。図７に示す実施の形態では、男性用尿パッド１１は褌４１に形成されたポケット４２に収納されるように形成されている。
【００２８】
図５及び図６に示す実施の形態は、パンツ３１にポケット３２を設けたもので、ポケット３２の上部にフック形状の折り曲げ片３３が形成され、折り曲げ片３３の内側にパンツ３１の上部に接合される粘着テープ３４が設けられている。男性用尿パッド１１はポケット３２に収納され、パンツ３１のゴムの締付力も加わり、脱落や位置ずれの虞れがない。尚、本実施の形態ではポケット３２をパンツ３１に着脱自在としたが、パンツ３１に縫着したものであってもよい。
【００２９】
図７に示す実施の形態は、男性用尿パッド１１が褌４１またはサポータに形成されたポケット４２に収納されるように形成されている。褌４１またはサポータは帯状ゴムから形成された腰ひも部４３と、腰ひも部４３の後部から下方に延びる後カバー４４と、後カバー４４より上方に延びる前カバー４５と、前記腰ひも部４３の外側より前部に跨がって折り返される前垂れ４６とを備えている。褌４１またはサポータの男性器２１と対向する側である前垂れ４６の内側にポケット４２が形成されている。尚、前記腰ひも部４３の内側より前部に跨がって折り返される前垂れ４６であってもよい。
【００３０】
男性用尿パッド１１の吸収シート１３が多量の尿を吸収した場合、例えば３００〜５００ｃｃの尿を吸収した場合には重さがあるが、男性用尿パッド１１を十分に保持することができ、容易に歩行が可能である。褌４１またはサポータは生地をサラシ、絹、綿、または通気性のよい不織布やガーゼ等を使用することができる。
【図面の簡単な説明】
【００３１】
【図１】本考案に係る男性用尿パッドの使用状態の側面説明図。
【図２】本考案に係る男性用尿パッドの断面説明図。
【図３】本考案に係る男性用尿パッドの正面図。
【図４】本考案に係る男性用尿パッドの男性用尿パッドの裏面図。
【図５】本考案に係る男性用尿パッドの取付構造を示すパンツの正面説明図。
【図６】本考案に係る男性用尿パッドの取付構造を示すパンツの側面説明図。
【図７】本考案に係る男性用尿パッドの取付構造を示す褌またはサポータの正面説明図。
【符号の説明】
【００３２】
１１    男性用尿パッド
１２    表面シート
１３    吸収シート
１４    裏面シート
１６    挿入口
１７    ギャザー
１８    弾性部材
１９    挿入口調節部材
２０    ストッパーリング
２１    男性器
２２    陰茎
２３    睾丸
２５    粘着テープ
３１    パンツ
３２    ポケット
３３    折り曲げ片
３４    粘着テープ
４１    褌
４２    ポケット
【図１】
0003146049.tif 000003
【図２】
0003146049.tif 000004
【図３】
0003146049.tif 000005
【図４】
0003146049.tif 000006
【図５】
0003146049.tif 000007
【図６】
0003146049.tif 000008
【図７】
0003146049.tif 000009